(57)【要約】【課題】一旦閉位置となった開閉扉が不測に開放することを低減して、球噛みの発生を抑制し、公平な遊技を円滑に実行することができる入球ユニット等を提供すること。【解決手段】この入球ユニット４０は、入球口４２を揺動開閉する開閉扉４３と、ソレノイド４４と連結した第１伝達手段４５と、第１伝達手段４５によって移動されて開閉扉４３を揺動させる第２伝達手段４６と、を備え、開閉扉４３が閉位置の状態において、第１伝達手段４５と第２伝達手段４６との間に隙間を設ける。【選択図】図７
2011055878.tif 000002
【特許請求の範囲】
【請求項１】
遊技領域を流下する遊技球を流入させる入球口と、
該入球口への遊技球の流入が困難な状態を実現する閉位置と該流入が容易な状態を実現する開位置との間を揺動する開閉扉と、
該開閉扉を開閉駆動するソレノイドと、
該ソレノイドの駆動力を前記開閉扉に伝達する伝達手段と、を備える入球ユニットであって、
前記伝達手段は、前記ソレノイドと連結した第１伝達手段と、
該第１伝達手段によって移動されることにより、前記開閉扉を揺動させる第２伝達手段と、を有しており、
前記ソレノイドは、通電された通電状態においてスライド移動するプランジャと、該プランジャのスライド移動によって弾性変形する弾性部材と、を有しており、
該ソレノイドの通電状態では、前記プランジャが一方向にスライド移動して該弾性部材が弾性変形し、前記開閉扉が開位置に向かって揺動し、かつ該ソレノイドの断電状態では、該弾性部材の弾性力によって一方向と反対の他方向に前記プランジャがスライド移動し、該開閉扉が閉位置に向かって移動するように構成されており、
前記開閉扉が閉位置の状態において、前記プランジャのスライド方向における前記第１伝達手段と前記第２伝達手段との間には隙間が設けられている、入球ユニット。
【請求項２】
前記第１伝達手段の前記プランジャには、前記第２伝達手段に設けられた突起部が挿入される穴部が形成されており、
前記第１伝達手段と前記第２伝達手段との前記隙間は、前記スライド部のスライド方向における前記突起部と前記穴部との間に設けられている、請求項１に記載の入球ユニット。
【請求項３】
前記開閉扉は、前記弾性部材の前記弾性力による前記プランジャの移動に基づいて前記閉位置に向かって所定角度まで移動した後、自重によって更に該閉位置に向かって移動するように構成されている、請求項１又は請求項２に記載の入球ユニット。
【請求項４】
前記第２伝達手段は、前記突起部が前記第１伝達手段によって押圧されることにより、回転軸を中心に回転するように構成され、かつ前記開閉扉に設けられた係合部と係合する曲線凹部を備えており、
前記曲線凹部は、前記第２伝達手段の回転に伴って前記係合部を前記回転軸に向けて引き込み、前記開閉扉を閉位置に向けて移動させる第１稜線部と、該第１稜線部と連続して設けられ、前記第２伝達手段の回転に伴って前記係合部を前記回転軸に向けて引き込まない第２稜線部と、を有しており、
前記第２稜線部は、前記開閉扉が閉位置の状態において前記係合部と接する位置に配置されている、請求項１から請求項３のいずれかに記載の入球ユニット。
【請求項５】
前記第２伝達手段は、前記開閉扉が開位置の状態において前記開閉扉の閉位置に向かう方向への移動を規制する規制部を備えている、請求項１から請求項４のいずれかに記載の入球ユニット。
【発明の詳細な説明】
【技術分野】
【０００１】
本発明は、遊技領域を流下する遊技球が流入可能な入球ユニットに係り、特に遊技球の流入が困難な状態と流入が容易な状態とを揺動開閉により実現する開閉扉を有する入球ユニットに関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の遊技釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
遊技者は、パチンコ機において大当りに入賞すると多くの景品球払出しを得ることができるため、大当りになることを期待して遊技を行う。この大当り遊技は、例えば抽選手段と、抽選手段による抽選の契機となる始動入賞口と、を備える遊技機において、始動入賞口への遊技球の入球を契機として行われる抽選結果が大当りとなることにより実行される。また、特定の大当りに入賞すると、抽選手段の抽選確率が高くなり、次回の大当り入賞を受けやすくする確率変動機能を有する遊技機が多く提供されている。
【０００４】
この確率変動状態は、通常の遊技状態よりも大当りの抽選確率が高くなり、次回の大当りが入賞しやすくなるため、遊技者は、現在の遊技が確率変動状態であるか否かに興味を持ちつつ遊技を行う。また、確率変動状態から通常状態への遊技状態の変化及び通常状態から確率変動状態への遊技状態の変化は、大当り遊技を経てから行われるように構成されており、遊技者は大当り遊技の前後で遊技状態が変化したか否かを確認して、遊技者にとって有利な状態であるか否かを判別している。
【０００５】
更に、非特許文献１には、遊技状態が変化する大当り遊技と、遊技状態が変化しない小当りと、を組み合わせて現在の遊技状態に対する遊技者の期待感を高めるように構成した遊技機が提供されている。大当り遊技は、開閉扉付きの大入賞口（いわゆる、アタッカー。）の開閉扉の開閉動作を繰り返すことにより行われており、小当り遊技は、大当り遊技と同様に大入賞口の開閉扉の開閉動作を繰り返すことにより行われているが、小当り遊技を経ても遊技状態が変化しない。
【０００６】
このように構成された大当り遊技と小当り遊技とを組み合わせることにより、現在の遊技状態に対する遊技者の期待感を高めることができる。例えば、非特許文献１に記載の遊技機は、大当り遊技であっても小当り遊技であっても大入賞口の開閉扉を９回開閉させており、この開閉扉の開閉動作は比較的高速かつ短時間で実行されている。
【０００７】
また、入賞口を有する入賞装置の前方には、遊技者からの不正アクセスを防止するための透明板（ガラス）が設けられている。例えば、大入賞口を開閉する開閉扉を有する入賞装置においては、開閉扉を閉状態から開状態に向けて移動する際に、上方から遊技領域を落下してきた遊技球がその開閉扉と透明板との間に挟まって、球噛みが生じてしまうおそれがあり、特に高速かつ短時間で繰り返し開閉操作を行う入賞装置においては問題となることがあった。
【０００８】
このような問題を鑑みて特許文献１には、遊技球が入賞する入賞開口と、入賞開口に対し、開方向に変動して第１の状態になるとともに閉方向に変動して第２の状態になる開閉部材と、所定の駆動源と、を含む可変入賞装置が記載されている。この可変入賞装置の駆動源は、開閉部材を閉方向に変動させるための閉方向変動力を作用させる力作用状態と、閉方向変動力を解除する力解除状態と、に切換可能である。また、開閉部材は、駆動源の力解除状態で開方向に変動する所定の大きさの開方向変動力が生じるように構成されており、駆動源が力解除状態に切り換わることにより開閉板が開方向変動力の作用により開方向に変動する。
【０００９】
この可変入賞装置によれば、所定の駆動源が開閉部材を閉方向に変動させるための閉方向変動力を作用させる力作用状態になっている場合に、開閉部材が入賞開口に対し閉方向に変動されて遊技者にとって不利な第２の状態になる。また、この駆動源は、力作用状態から閉方向変動力を解除する力解除状態に切換可能であり、その力解除状態では、開閉部材が開方向に変動する所定の大きさの変動力が生じるように構成されている。その結果、駆動源が力解除状態に切り換わることにより、開閉部材が変動力の作用により開方向に変動する。
【００１０】
つまり、開閉部材に対する対向部材と開閉部材との間での球噛みが問題となる開閉部材の開方向への変動時においては、開閉部材を開方向に変動させるための力が駆動源から開閉部材に付与されず、その結果、駆動源に発生する摩擦抵抗をも考慮して開方向への大きな力を開閉部材に付与する必要がなく、その分小さな力により開閉部材を開方向に変動させることが可能となる。
【００１１】
したがって、開閉部材を開方向に変動させるに際し、駆動源の摩擦抵抗をも考慮した大きな力により開方向に変動させる必要がなくなり、小さな力で開閉部材を開方向に変動させることが可能となるために、開閉部材とその対向部材との間での球噛みを防止することが可能となる。
【先行技術文献】
【特許文献】
【００１２】
【特許文献１】特開２００８−１３２０８２号公報
【非特許文献】
【００１３】
【非特許文献１】「ＣＲぱちんこ  キン肉マン関連記事」、パチンコ攻略マガジン２月２２日号、株式会社双葉社、平成２１年２月２２日発行、１６頁から２１頁
【発明の概要】
【発明が解決しようとする課題】
【００１４】
しかし、特許文献１に記載の可変入賞装置は、開閉部材が閉方向に変動して第２の状態となる際に開閉部材が勢いよく閉まると、その勢いにより開閉部材がバウンドし、閉鎖したはずの開閉部材が再び開いてしまい、球噛みが発生してしまうおそれがあった。
【００１５】
開閉部材が再び開いてしまうと、大当り遊技等が再び実行されているかのような誤解を遊技者に与えてしまい、公平な遊技を実現できないおそれがあった。また、開閉部材が再び開いてしまうと、比較的高速かつ短時間で開閉部材を開閉操作することが困難になるおそれがあった。
【００１６】
本発明は、上記の事情に鑑みて為されたものであり、入球口を開閉する開閉扉を有する入球ユニットにおいて、一旦閉位置となった開閉扉が不測に開放することを防止して、球噛みの発生を防止するとともに、公平な遊技を実行することができる入球ユニットを提供することを例示的課題とする。
【課題を解決するための手段】
【００１７】
本発明の例示的な側面としての入球ユニットは、遊技領域を流下する遊技球を流入させる入球口と、入球口への遊技球の流入が困難な状態を実現する閉位置と流入が容易な状態を実現する開位置との間を揺動する開閉扉と、開閉扉を開閉駆動するソレノイドと、ソレノイドの駆動力を開閉扉に伝達する伝達手段と、を備え、伝達手段は、ソレノイドと連結した第１伝達手段と、第１伝達手段によって移動されることにより、開閉扉を揺動させる第２伝達手段と、を有しており、ソレノイドは、通電された通電状態においてスライド移動するプランジャと、プランジャのスライド移動によって弾性変形する弾性部材と、を有しており、ソレノイドの通電状態では、プランジャが一方向にスライド移動して弾性部材が弾性変形し、開閉扉が開位置に向かって揺動し、かつソレノイドの断電状態では、弾性部材の弾性力によって一方向と反対の他方向にプランジャがスライド移動し、開閉扉が閉位置に向かって移動するように構成されており、開閉扉が閉位置の状態において、プランジャのスライド方向における第１伝達手段と第２伝達手段との間には隙間が設けられている。
【００１８】
入球ユニットは、遊技領域を流下する遊技球が流入可能な入球口を備えており、この入球口への遊技球の流入が容易な状態と流入が困難な状態とを開閉扉によって実現する。開閉扉には、第１伝達手段及び第２伝達手段を介してソレノイドの駆動力が伝達されるように構成されている。ソレノイドは、通電状態で一方向へスライド移動するプランジャと、断電状態で一方向へスライド移動したプランジャを弾性力により一方向と反対の他方向へ押圧する弾性部材によって構成されている。
【００１９】
ソレノイドが通電されると、プランジャが一方向にスライド移動して、第１伝達手段及び第２伝達手段を介して開閉扉が開位置に向かって移動するように構成されている。すなわち、ソノレイドが通電されることにより、開閉扉が開位置に向かって移動する。一方、ソレノイドが断電されると、プランジャが他方向（一方向と反対の方向）にスライド移動し、第１伝達手段及び第２伝達手段を介して開閉扉が閉位置に向かって移動するように構成されている。すなわち、ソレノイドが断電されることにより、開閉扉が閉位置に向かって移動する。
【００２０】
ソノレイドの断電状態においては、弾性部材の弾性力が、第１伝達手段及び第２伝達手段を介して開閉扉に伝達されており、弾性部材の弾性力によって開閉扉が閉位置に向かって移動される。このとき、弾性部材が勢いよく復元する（変形前の元の状態に戻る）と、弾性部材は、プランジャを他方向に移動して開閉扉を閉位置に向けて移動させた後、振動して再び弾性変形し、プランジャを一方向に移動して開閉扉を開位置に向けて移動させてしまうおそれがある。すなわち、弾性部材が勢いよくプランジャを閉位置に移動させると、開閉扉がバウンドして再び開いてしまうおそれがある。
【００２１】
しかし、開閉扉が閉位置の状態において、ソレノイドと連結された第１伝達手段と、開閉扉を揺動させる第２伝達手段と、の間に隙間が設けられているため、ソレノイドの弾性部材が振動した場合であっても、その振動を隙間によって吸収し、弾性部材の振動を第１伝達手段から第２伝達手段に伝達することを防止し、一旦閉位置に移動した開閉扉が再び開くことを防止することができる。
【００２２】
一旦閉位置に移動した開閉扉が再び開くことを防止することにより、球噛みの発生を防止するとともに、遊技者に誤解を与えることを防ぎ、遊技者に対して公平な遊技を提供することができる。更に、一旦閉位置に移動した開閉扉が再び開くことを防止することにより、開閉扉が閉位置にて停止する収束時間を短くすることができ、容易に高速かつ短時間で開閉部材を開閉操作することが可能となる。
【００２３】
また、第１伝達手段のプランジャには、第２伝達手段に設けられた突起部が挿入される穴部が形成されており、第１伝達手段と第２伝達手段との間の隙間は、スライド部のスライド方向における突起部と穴部との間に設けられていてもよい。
【００２４】
このような構成によれば、ソノレイドに連結されたプランジャの穴部内に第１伝達手段の突起部を挿入することにより、ソレノイドの駆動力を伝達手段に伝達して、ソノレイドの駆動力に基づいて開閉扉を揺動することができる。更に、プランジャのスライド方向における突起部と穴部との間に隙間が設けられているため、ソノレイドの弾性部材の振動を第２伝達手段及び開閉扉に伝達することを防止することができる。
【００２５】
また、穴部と突起部との配置や、穴部と突起部の形状等を適宜変化させることにより、第１伝達手段と第２伝達手段との隙間の長さを容易に変化させることができる。例えば、弾性部材がバネ部材の場合には、バネ定数に応じて隙間の長さを変化させて、より確実に弾性部材の振動が開閉扉に伝達しないように構成することが可能となる。
【００２６】
更に、開閉扉は、弾性部材の弾性力によるプランジャの移動に基づいて閉位置に向かって所定角度まで移動した後、自重によって更に閉位置に向かって移動するように構成されていてもよい。
【００２７】
このような構成によれば、開閉扉の自重によって閉位置まで移動するため、弾性部材の弾性力によらず、開閉扉を閉位置に移動することができる。また、自重によって閉位置に移動するように構成することにより、閉位置の状態において弾性部材の復元力による振動が作用しても、開閉扉が開位置に移動することを開閉扉の自重によって防止することが可能となる。加えて、弾性部材の弾性力によって開閉扉が閉位置まで移動しないため、閉位置における弾性部材の影響を低減し、一旦閉位置に移動した開閉扉が不測に開放することを防ぐことができる。
【００２８】
第２伝達手段は、突起部が第１伝達手段によって押圧されることにより、回転軸を中心に回転するように構成され、かつ開閉扉に設けられた係合部と係合する曲線凹部を備えており、曲線凹部は、第２伝達手段の回転に伴って係合部を回転軸に向けて引き込み、開閉扉を閉位置に向けて移動させる第１稜線部と、第１稜線部と連続して設けられ、第２伝達手段の回転に伴って係合部を回転軸に向けて引き込まない第２稜線部と、を有しており、第２稜線部は、開閉扉が閉位置の状態において係合部と接する位置に配置されていてもよい。
【００２９】
このような構成によれば、第１伝達手段がソレノイドによって移動されることにより、回転軸を中心に曲線凹部を有する第２伝達手段を回転し、曲線凹部に沿って係合部を移動させ、開閉扉を揺動させることができる。また、曲線凹部は、第２伝達手段の回転に伴って係合部を回転軸に向けて引き込み、開閉扉を閉位置に向けて移動させる第１稜線部と、第２伝達手段の回転に伴って係合部を回転軸に向けて引き込まない第２稜線部と、を備えている。
【００３０】
第１稜線部と第２稜線部に沿って係合部を移動させることにより、第２伝達手段の回転に伴って係合部を回転軸に向けて引き込んで開閉扉を閉位置に移動させたり、第２伝達手段が回転しても係合部を回転軸に向けて引き込まず開閉扉を移動させないようにしたりすることができる。
【００３１】
開閉扉が閉位置の状態において係合部と第２稜線部とが接するように構成されているため、開閉扉が閉位置の状態において第２伝達手段が多少回転しても、第２稜線部と係合部とが接している状態では係合部は第２伝達手段の回転軸に向かって引き込まれず、開閉扉は移動しない。すなわち、開閉扉が閉位置の状態において、弾性部材の振動によって第１伝達手段及び第２伝達手段が移動した場合であっても、その移動に基づいて開閉扉を開位置に向けて移動させないようにすることができる。
【００３２】
このように、開閉扉が閉位置の状態において開閉扉を移動させ難くすることにより、遊技領域を流下する遊技球の衝突よる開閉扉の開放等、一旦閉位置に移動した開閉扉が不測に開放してしまうことを防止できる。したがって、一旦閉位置に移動した開閉扉が再び開くことを防止することにより、球噛みの発生を効果的に防止するとともに、遊技者に誤解を与えることを防ぎ、遊技者に対して公平な遊技を提供することができる。
【００３３】
また、第２伝達手段は、開閉扉が開位置の状態において開閉扉の閉位置に向かう方向への移動を規制する規制部を備えていてもよい。開閉扉が開位置の状態においては、遊技領域を流下する遊技球が入球口に流入するように構成されており、遊技球は、開閉扉に衝突したり、開閉扉上を通過したり、開閉扉に接触しつつ入球口内に流入したりする。例えばこのとき、遊技球が勢いよく開閉扉に衝突すると、その衝撃によって開閉扉が閉位置に向かって移動してしまうおそれがある。
【００３４】
開位置の開閉扉が不測に閉位置に向かって移動すると、遊技球が入球口へ入球する機会が少なくなって遊技者の不利益となるおそれがあり、公平な遊技を提供できないおそれがある。更に、開位置の開閉扉が不測に閉位置に向かって移動すると、閉位置に向かって移動した開閉扉と入球口との間に遊技球が挟まり、球噛みが発生するおそれがある。
【００３５】
しかし、開閉扉が開位置の状態において開閉扉の閉位置に向かう方向への移動を規制する規制部を第２伝達手段に設けることにより、開位置から閉位置に向かう開閉扉の移動を規制し、開位置の開閉扉が不測に閉位置に向けて移動することを防ぎ、遊技者に対して公平な遊技を提供することができるとともに、球噛みの発生を防止することができる。
【００３６】
本発明の更なる目的又はその他の特徴は、以下添付図面を参照して説明される好ましい実施の形態によって明らかにされるであろう。
【発明の効果】
【００３７】
本発明によれば、開閉扉が閉位置の状態において、ソレノイドと連結された第１伝達手段と、開閉扉を揺動させる第２伝達手段と、の間に隙間が設けられているため、ソレノイドの弾性部材が振動した場合であっても、その振動を隙間によって吸収し、一旦閉位置に移動した開閉扉が再び開くことを防止することができる。一旦閉位置に移動した開閉扉が再び開くことを防止することにより、球噛みの発生を防止するとともに、遊技者に誤解を与えることを防ぎ、遊技者に対して公平な遊技を提供することができる。
【００３８】
更に、開閉扉は、弾性部材の弾性力によるプランジャの移動に基づいて閉位置に向かって所定角度まで移動した後、自重によって更に閉位置に向かって移動するように構成されているため、弾性部材の弾性力によらず開閉扉を閉位置に移動することができ、閉位置の状態において弾性部材の復元力による振動が作用しても、開閉扉が開位置に移動することを開閉扉の自重によって防止することが可能となる。
【００３９】
また、開閉扉が開位置の状態において開閉扉の閉位置に向かう方向への移動を規制する規制部を第２伝達手段に設けることにより、開位置から閉位置に向かう開閉扉の移動を規制し、開位置の開閉扉が不測に閉位置に向けて移動することを防ぎ、遊技者に対して公平な遊技を提供することができるとともに、球噛みの発生を防止することができる。
【図面の簡単な説明】
【００４０】
【図１】本発明の実施の形態に係るパチンコ機の正面図である。
【図２】図１に示すパチンコ機の背面図である。
【図３】図１に示す入球ユニットの正面図である。
【図４】入球ユニットの平面図である。
【図５】入球ユニットの内部機構を模式的に示した平面図である。
【図６】入球ユニットの内部機構を模式的に示した右側面図である。
【図７】入球ユニットの開放態様を示す模式側面図である。
【図８】入球ユニットの開放態様を示す模式側面図である。
【図９】図８に示すＡ部分の部分拡大図である。
【図１０】入球ユニットの閉鎖態様を示す模式側面図である。
【図１１】入球ユニットの閉鎖態様を示す模式側面図である。
【図１２】変形例に係る入球ユニットの駆動機構を模式的に示した側面図である。
【発明を実施するための形態】
【００４１】
以下、本発明の実施の形態について図面を用いて説明する。図１は、本発明の実施の形態に係る入球ユニット４０を有するパチンコ機（遊技機）２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００４２】
パチンコ機２は、遊技者が後述する発射装置ハンドル１５を操作することによって、遊技領域１６に向けて球が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００４３】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００４４】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００４５】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００４６】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００４７】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００４８】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４９】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００５０】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００５１】
遊技釘２７は、遊技領域１６を流下する遊技球２３と衝突してその流下方向を変更させる流下変更部材であり、多数が遊技領域１６内に配置されている。また、遊技領域１６には、始動入賞口２９等の入賞部材、普通入賞口２８及び大入賞口４２を有する入球ユニット４０、及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００５２】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されるとともに、センター役物７の中央部には、演出表示装置７ａが配置されている。
【００５３】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００５４】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００５５】
遊技盤６の裏面側には、パチンコ機２の全体の制御を行う遊技制御手段としての主制御基板を収容した主制御基板ケース３５と、演出表示装置７ａの画像表示の制御等を行う演出制御基板を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００５６】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものはゲージに衝突しつつ遊技領域１６内を下方に流下し、あるものは普通入賞口２８に流入して一定数の景品球払出しの契機となり、あるものはいずれの入球装置にも流入せずに遊技領域１６内最下部に位置するアウト口３０に流入してアウト球としてパチンコ機２の外部側へと排出される。
【００５７】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、入球ユニット４０の大入賞口（入球口）４２が開放して多量の入賞球を受け入れ、多量の景品球が球皿１４へと払い出されるようになっている。
【００５８】
次いで、図３から図１１に基づいて遊技盤６に装着された入球ユニット４０について詳細に説明する。図３から図６は、遊技盤６から取り外した状態の入球ユニット４０を示した図である。図３は正面図であり、図４は平面図である。また、図５は内部機構を模式的に示した平面図であり、図６は内部機構を模式的に示した右側面図である。なお、以下の説明における前後、左右及び上下は、遊技者が正面からパチンコ機２を視認した状態における方向である。
【００５９】
入球ユニット４０は、遊技盤６に取り付けるためのベース部材４１と、ベース部材４１に開口形成され、遊技球２３の流入口となる大入賞口（入球口）４２と、大入賞口４２への入球を容易な状態と困難な状態とを実現する開閉扉４３と、開閉扉４３を開閉駆動するソレノイド４４と、ソレノイド４４の駆動力を開閉扉４３に伝達する伝達手段４５,４６と、大入賞口４２に入球した遊技球２３を入球ユニット４０外部に導く球通路４７と、ソレノイド４４、伝達手段４５，４６及び球通路４７を内包するカバー部材４８と、普通入賞口２８と、を有する。
【００６０】
入球ユニット４０は、遊技盤６に装着された状態において、正面視にてベース部材４１、開閉扉４３、普通入賞口２８が視認できるように配置されている。開閉扉４３は、開位置と閉位置との間を揺動開閉するように構成されており、開閉扉４３が開位置の状態においては、正面から大入賞口４２を視認可能であって、遊技領域１６を流下する遊技球２３が大入賞口４２に入球可能となる。一方、開閉扉４３が閉位置の状態においては、正面から大入賞口４２が視認不可能であって、遊技領域１６を流下する遊技球２３が大入賞口４２に入球不可能となる。
【００６１】
図４及び図５に示すように、ベース部材４１及び開閉扉４３の後方には、カバー部材４８が設けられており、カバー部材４８内には、開閉扉４３を開閉駆動するソレノイド４４と、ソレノイド４４の駆動力を開閉扉４３に伝達する伝達手段４５,４６と、大入賞口４２に入球した遊技球２３が通過する球通路４７が設けられている。
【００６２】
ソレノイド４４は、通電又は断電されることにより前後方向に移動するプランジャ４４ａと、プランジャ４４ａの移動に基づいて弾性変形するバネ部材（弾性部材）４４ｂと、を有する。ソレノイド４４が通電されると、バネ部材４４ｂに抗してプランジャ４４ａが後方にスライド移動し、バネ部材４４ｂが弾性変形する。プランジャ４４ａが後方にスライド移動すると、開閉扉４３が開位置に向かって移動する。一方、ソレノイド４４が断電されると、バネ部材４４ｂの弾性力によってプランジャ４４ａが前方にスライド移動する。プランジャ４４ａが前方にスライド移動すると、開閉扉４３が閉位置に向かって移動する。
【００６３】
ソレノイド４４の前端部には、伝達手段としての伝達プレート（第１伝達手段）４５が連結されている。伝達プレート４５は、図５に示すように平面視にて略Ｌ字形状であり、プランジャ４４ａの前面に沿って左右方向に延設した第１プレート部４５ａと、前後方向に延設した第２プレート部４５ｂと、から構成されている。第２プレート部４５ｂには、左右方向に貫通した穴部４５ｃが形成されている。
【００６４】
伝達プレート４５の左側方には、第２プレート部４５ｂの穴部４５ｃに挿入する突起部４６ａが形成された伝達カム（第２伝達手段）４６が配置されている。伝達カム４６は、突起部４６ａが第２プレート部４５ｂによって押圧されることにより、回転軸４６ｂを中心に回転するように構成されている。
【００６５】
また、伝達カム４６には、開閉扉４３と係合する曲線凹部４６ｃが形成されている。曲線凹部４６ｃは、開閉扉４３に設けられた係合部４３ａが接触可能であり、係合部４３ａを押圧することによって開閉扉４３を揺動開閉させるように構成されている。開閉扉４３は、係合部４３ａが伝達カム４６によって押圧されることにより、回転軸４３ｂを中心に回転する。
【００６６】
伝達プレート４５の穴部４５ｃの前後方向の長さは、伝達カム４６の突起部４６ａの直径より長く構成されており、突起部４６ａが穴部４５ｃに挿入された状態において、穴部４５ｃと突起部４６ａとの間には隙間が設けられている。この隙間が設けられていることにより、伝達プレート４５の移動タイミングと伝達カム４６の移動タイミングとをずらしたり、伝達プレート４５の移動を伝達カム４６に伝達しないようにしたり、伝達カム４６の移動を伝達プレート４５に伝達しないようにすることができる。この穴部４５ｃと突起部４６ａとの隙間の長さを適宜変化させることにより、伝達プレート４５と伝達カム４６との伝達態様を変化させることが可能となる。
【００６７】
開閉扉４３が閉鎖した状態において、突起部４６ａと穴部４５ｃとの間には、隙間Ｔ１が設けられている。隙間Ｔ１が設けられていることにより、開閉扉４３が閉位置の状態において、伝達プレート４５が多少後方に移動した場合であっても、伝達プレート４５の移動を伝達カム４６に伝達しないようにすることができる。
【００６８】
具体的には、バネ部材４４ｂの弾性力によってプランジャ４４ａが前方にスライド移動することにより、開閉扉４３は閉位置に向かって移動する。このとき、バネ部材４４ｂが勢いよく復元する（元の状態に戻る）と、バネ部材４４ｂはプランジャ４４ａを前方に移動した後、再び弾性変形して振動する。バネ部材４４ｂが振動すると、プランジャ４４ａ及び伝達プレート４５が後方に移動して、開閉扉４３が開位置に向かって移動してしまう。
【００６９】
しかし、伝達プレート４５の穴部４５ｃと伝達カム４６の突起部４６ａとの隙間Ｔ１が設けられていることにより、伝達プレート４５が所定長さ（隙間Ｔ１以下の長さ）後方に移動しても、その移動を隙間Ｔ１で吸収して伝達カム４６に伝達することを防ぐことができる。したがって、バネ部材４４ｂの振動によって開閉扉４３が開放することを防ぐことができる。
【００７０】
次いで、このように構成された入球ユニット４０の開閉扉４３の開閉態様について詳細に説明する。図７、図８、図１０、及び図１１は、開閉扉４３の開閉態様を模式的に示した図である。図７、図８、図１０、及び図１１においては、説明のため、カバー部材４８、ベース部材４１等、駆動機構以外の部材を省略して示している。図７（ａ）及び図１１（ｇ）は開閉扉４３が閉位置の状態を示しており、図８（ｇ）及び図１１（ａ）は開閉扉４３が開位置の状態を示している。図７及び図８は、（ａ）から（ｇ）に向かって開閉扉４３が徐々に開放する態様を示している。図１０及び図１１は、（ａ）から（ｇ）に向かって開閉扉４３が徐々に閉鎖する態様を示している。
【００７１】
まず、図７及び図８に基づいて、閉位置から開位置への開閉扉の移動態様を説明する。（ａ）は閉位置の状態を示している。（ａ）に示す状態は、ソレノイド４４は通電されておらず、プランジャ４４ａはバネ部材４４ｂの弾性力によって前方（図示するＸ方向）に押圧されている。ソレノイド４４と連結された伝達プレート４５の穴部４５ｃと、伝達カム４６の突起部４６ａとの間には、隙間Ｔ１が設けられている。
【００７２】
ソレノイド４４が通電されると、（ａ）に示す状態から後方（図示する−Ｘ方向）にプランジャ４４ａが移動して（ｂ）に示す状態となる。（ｂ）は、（ａ）に示す状態からプランジャ４４ａが隙間Ｔ１分の長さ後方に移動した状態である。プランジャ４４ａが隙間Ｔ１分の長さ後方に移動することにより、プランジャ４４ａと連結された伝達プレート４５が後方に移動し、穴部４５ｃと突起部４６ａとが当接する。（ａ）の状態から（ｂ）の状態になるまでの間は、突起部４６ａと穴部４５ｃとが接していないため、伝達プレート４５のみ後方に移動し、伝達カム４６は回転しない。また、プランジャ４４ａが後方に移動することにより、バネ部材４４ｂが弾性変形する。
【００７３】
（ｂ）に示す状態からプランジャ４４ａが更に後方に移動すると（ｃ）に示す状態となる。プランジャ４４ａの後方への移動に伴って伝達プレート４５が後方に移動し、伝達プレート４５によって突起部４６ａが押圧される。伝達カム４６は、突起部４６ａが伝達プレート４５によって後方に押圧されることにより、回転軸４６ｂを中心に時計回り方向（図示するＹ方向）に回転する。伝達カム４６が回転することにより、開閉扉４３の係合部４３ａが曲線凹部４６ｃによって押圧され、開閉扉４３が回転軸４３ｂを中心に反時計回り方向（図示する−Ｚ方向）に回転して開位置に向かって移動する。
【００７４】
（ｃ）に示す状態からプランジャ４４ａが更に後方に移動すると（ｄ）の状態となり、（ｄ）の状態から（ｅ）の状態、（ｆ）の状態、（ｇ）の状態と徐々に変化する。（ｇ）に示す開位置に向かっての変化に伴って、開閉扉４３の開放角度が大きくなり、バネ部材４４ｂの弾性変形は大きくなる。そして、（ｇ）に示す状態では、開閉扉４３が開位置となり、大入賞口４２への遊技球２３の入球が容易な状態を実現することができる。
【００７５】
また、（ｇ）に示す状態では、開閉扉４３の閉位置に向かう方向への移動を伝達カム４６によって規制しており、伝達カム４６が規制部として機能している。図９は、図８に示すＡ部分の部分拡大図である。開閉扉４３の係合部４３ａは、伝達カム４６上に載置されており、係合部４３ａと伝達カム４６との接点Ｖは、係合部４３ａの中心Ｐと、伝達カム４６の回転軸４６ｂの中心Ｑと、を繋ぐ直線Ｓ上に配置されており、係合部４３ａと接する伝達カム４６の面は、直線Ｓに対して略垂直である。
【００７６】
このように伝達カム４６と突起部４６ａとが接することにより、例えば、開閉扉４３に対して遊技球２３が衝突等して係合部４３ａが時計回り方向（Ｚ方向）に（開閉扉が開位置に向かう方向に）移動するように力が作用しても、その力が伝達カム４６の回転軸４６ｂの中心に対して作用し、接点Ｖに対して回転モーメントが作用しない。したがって、開閉扉４３が閉位置の状態において開閉扉４３を閉位置に向けて回転させるような外力が作用しても、開閉扉４３が閉位置に向かって移動することを防止することができる。
【００７７】
次いで、図１０及び図１１に基づいて、閉位置から開位置への開閉扉４３の移動態様を説明する。（ａ）は開位置の状態を示している。（ａ）に示す状態は、ソレノイド４４は通電されており、プランジャ４４ａは後方（図示する−Ｘ方向）に押圧されている。ソレノイド４４と連結された伝達プレート４５の穴部４５ｃと伝達カム４６の突起部４６ａとの間には、隙間Ｔ２が設けられている。
【００７８】
ソレノイド４４が断電されると、バネ部材４４ｂの復元による弾性力がプランジャ４４ａに対して作用し、（ａ）に示す状態から前方（図示するＸ方向）にプランジャ４４ａが移動して（ｂ）に示す状態となる。（ｂ）は、（ａ）の状態からプランジャが隙間Ｔ２分の長さ前方に移動した状態である。プランジャ４４ａが前方に移動することにより、プランジャ４４ａと連結された伝達プレート４５が前方に移動し、穴部４５ｃと突起部４６ａとが当接する。（ａ）の状態から（ｂ）の状態になるまでの間は、突起部４６ａと穴部４５ｃとが接していないため、伝達プレート４５のみ後方に移動し、伝達カム４６は回転しない。
【００７９】
（ｂ）に示す状態からプランジャ４４ａが更に前方に移動すると（ｃ）に示す状態となる。プランジャ４４ａの前方への移動に伴って伝達プレート４５が前方に移動し、伝達プレート４５によって突起部４６ａが押圧される。伝達カム４６は、突起部４６ａが伝達プレート４５によって前方に押圧されることにより、回転軸４６ｂを中心に反時計回り方向（図示する−Ｙ方向）に回転する。伝達カム４６が回転することにより、開閉扉４３の係合部４３ａが曲線凹部４６ｃによって押圧され、開閉扉４３が回転軸４３ｂを中心に反時計回り方向（図示する−Ｚ方向）に回転して閉位置に向かって移動する。
【００８０】
（ｃ）に示す状態からプランジャ４４ａが更に前方に移動すると（ｄ）に示す状態となり、（ｄ）の状態から（ｅ）の状態、（ｆ）の状態、（ｇ）の状態と徐々に変化する。（ｇ）に示す閉位置に向かっての変化に伴って、開閉扉４３の開放角度が小さくなる。そして、（ｇ）に示す状態では、開閉扉４３が閉位置となり、大入賞口４２への遊技球２３の入球が困難な状態を実現することができる。
【００８１】
また、開閉扉４３が閉位置に向かって変化する際に、開閉扉４３は、所定角度まで伝達カム４６による押圧によって閉位置に向かって移動し、所定角度から閉位置まで自重によって移動するように構成されている。具体的には、図１１に示す（ｆ）の状態では、開閉扉４３が自重によって閉位置に移動するように構成されている。
【００８２】
開閉扉４３は、回転軸４３ｂを中心に回転するように構成されており、回転軸４３ｂより前方には大入賞口４２を開閉する扉部４３ｃが設けられ、回転軸４３ｂの後方には、係合部と回転軸とを連結する連結部４３ｄが設けられている。扉部４３ｃの自重による回転軸４３ｂに対する回転モーメントが、連結部４３ｄ及び係合部４３ａの自重による回転軸４３ｂに対する回転モーメントよりも大きい場合は、自重によって開閉扉４３が開く方向に移動する。一方、扉部４３ｃの自重による回転軸４３ｂに対する回転モーメントが、連結部４３ｄ及び係合部４３ａの自重による回転軸４３ｂに対する回転モーメントが大きい場合は、自重によって開閉扉４３が閉まる方向に移動する。
【００８３】
（ｆ）に示す状態においては、扉部４３ｃの自重による回転モーメントが、連結部４３ｄの自重による回転モーメントが大きく、自重によって開閉扉４３が閉位置に向かって移動する。このように、自重によって開閉扉４３を閉位置に移動するように構成することにより、閉位置の状態においてバネ部材４４ｂの復元力による振動が作用しても、閉位置に移動することを開閉扉４３の自重によって防止することが可能となる。
【００８４】
以上のように、本実施の形態に係る入球ユニット４０によれば、開閉扉４３が閉位置の状態において、ソレノイド４４と連結された伝達プレート４５と開閉扉４３を揺動させる伝達カム４６との間に隙間Ｔ１が設けられているため、ソレノイド４４のバネ部材４４ｂが振動した場合であっても、その振動を隙間Ｔ１によって吸収し、一旦閉位置に移動した開閉扉４３が再び開くことを防止することができる。一旦閉位置に移動した開閉扉４３が再び開くことを防止することにより、球噛みの発生を防止するとともに、遊技者の誤解を防ぎ、遊技者に対して公平な遊技を提供することができる。
【００８５】
更に、開閉扉４３は、バネ部材４４ｂの弾性力によるプランジャ４４ａの移動に基づいて閉位置に向かって所定角度まで移動した後、自重によって更に閉位置に向かって移動するように構成されているため、バネ部材４４ｂの振動に基づいて開閉扉４３が不測に開くことを効果的に防止することができる。
【００８６】
また、開閉扉４３が開位置の状態において、開閉扉４３が閉位置に向かって移動することを伝達カム４６によって規制しているため、開閉扉４３に遊技球２３が衝突等した場合であっても、開閉扉４３が不測に閉位置に向かって移動することを防ぐことができる。
【００８７】
以上、本発明の好ましい実施の形態を説明したが、本発明はこれらに限定されるものではなく、その要旨の範囲内で様々な変形や変更が可能である。実施の形態では、開閉扉４３が閉位置の状態において伝達プレート４５が移動しても、伝達カム４６が移動しないように構成しているが、開閉扉が閉位置の状態において伝達カムが多少移動しても、開閉扉が揺動開閉しないように構成することができる。
【００８８】
次いで、変形例に係る入球ユニット５０について説明する。変形例に係る入球ユニット５０は、実施の形態に係る入球ユニット４０と伝達カムの形状が異なり、開閉扉が閉位置の状態において伝達カムが多少移動しても、開閉扉が揺動開閉しないように構成されている。図１２は、変形例に係る入球ユニット５０の駆動機構を模式的に示した側面図である。なお、変形例に係る入球ユニット５０は、伝達カム以外の構成が実施の形態と同様であり、同様の構成は同符号を用いて説明を省略する。
【００８９】
変形例に係る入球ユニット５０の伝達カム５６は、伝達プレート４５によって押圧される突起部５６ａと、回転中心となる回転軸５６ｂと、開閉扉４３の係合部４３ａと係合する曲線凹部５６ｃと、を備えており、曲線凹部５６ｃは、伝達カム５６の回転に伴って係合部４３ａを伝達カム５６の回転軸５６ｂに向けて引き込み、開閉扉４３を閉位置に向けて移動させる第１稜線部５６ｄと、第１稜線部５６ｄと連続して設けられ、伝達カム５６の回転に伴って係合部４３ａを回転軸５６ｂに向けて引き込まない第２稜線部５６ｅと、を有している。
【００９０】
第１稜線部５６ｄは、伝達カム５６の回転軸５６ｂに対しての距離が変化しており、伝達カム５６が回転することにより、係合部４３ａを伝達カム５６の回転軸５６ｂに向かって引き込んだり、係合部４３ａを伝達カムの回転軸５６ｂから離間させたりするように構成されている。したがって、係合部４３ａは、第１稜線部５６ｄに沿って移動する際には、伝達カム５６の回転軸５６ｂに向かって引き込まれたり、係合部４３ａが伝達カム５６の回転軸５６ｂから離れるように移動したりする。したがって、開閉扉４３は、開位置に向かって移動したり、開閉扉４３が閉位置に向かって移動したりする。
【００９１】
一方、第２稜線部５６ｅは、図１２に示すＲ１とＲ２を結ぶ円弧であり、伝達カム５６の回転軸５６ｂに対しての距離が一定であり、係合部４３ａを伝達カム５６の回転軸５６ｂに向かって引き込んだり、離間する方向に移動させたりしないように構成されている。したがって、係合部４３ａは、第２稜線部５６ｅに沿って移動する際には、伝達カム５６の回転軸５６ｂに向かって引き込まれたり、係合部４３ａが伝達カム５６の回転軸５６ｂから離れるように移動したりしない。したがって、開閉扉４３が開位置に向かって移動したり、開閉扉４３が閉位置に向かって移動したりしない。
【００９２】
図１２（ａ）は、開閉扉４３が閉位置の状態を示しており、係合部４３ａは、第２稜線部５６ｅ上の点Ｒ１と接している。この状態からバネ部材４４ｂが振動等して伝達カム５６が多少回転すると、図１２（ｂ）に示す状態となる。係合部４３ａは、第２稜線部５６ｅ上の点Ｒ２と接している。（ａ）の状態から（ｂ）の状態になるまでの間は、伝達カム５６が回転しても、係合部４３ａが第２稜線部５６ｅに沿って移動しているため、係合部４３ａは伝達カム５６の回転軸５６ｂに向かって引き込まれない。したがって、開閉扉４３は、閉位置から開位置に向かって移動しない。
【００９３】
このように変形例に係る入球ユニット５０によれば、閉位置の状態において開閉扉４３の係合部４３ａが第２稜線部５６ｅと接しているため、閉位置の状態においてバネ部材４４ｂの振動によって伝達カム５６が多少回転しても、その回転に基づいて開閉扉４３を揺動させないようにすることができ、一旦閉位置の状態となった開閉扉４３が不測に開くことを効果的に防止することができる。
【符号の説明】
【００９４】
Ｐ:係合部の中心
Ｑ：伝達カムの回転軸の中心
Ｓ：係合部の中心と伝達カムの回転軸の中心を繋ぐ直線
Ｖ：係合部と伝達カムの接点
Ｒ１,Ｒ２：第２稜線部と係合部との接点
Ｔ１：伝達プレートの穴部と伝達カムの突起部との隙間（開閉扉閉鎖時）
Ｔ２：伝達プレートの穴部と伝達カムの突起部との隙間（開閉扉開放時）
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２６：レール飾り
２６ａ：外レール
２７：遊技釘
２８：普通入賞口
２９：始動入賞口
３０：アウト口
３２：装飾部材
３３：ゲート
３４：風車
３５：主制御基板ケース
３６：演出制御基板ケース
３７：払出制御基板ケース
３８：電源基板ケース
３９：外部出力端子板
４０：入球ユニット
４１：ベース部材
４２：大入賞口（入球口）
４３：開閉扉
４３ａ：係合部
４３ｂ：回転軸
４３ｃ：扉部
４３ｄ：連結部
４４：ソレノイド
４４ａ：プランジャ
４４ｂ：バネ部材（弾性部材）
４５：伝達プレート（第１伝達手段）
４５ａ：第１プレート部
４５ｂ：第２プレート部
４５ｃ：穴部
４６：伝達カム（第２伝達手段）
４６ａ：突起部
４６ｂ：回転軸
４６ｃ：曲線凹部
４７：球通路
４８：カバー部材
５０：入球ユニット
５６：伝達カム
５６ａ：突起部
５６ｂ：回転軸
５６ｃ：曲線凹部
５６ｄ：第１稜線部
５６ｅ：第２稜線部
【図１】
2011055878.tif 000003
【図２】
2011055878.tif 000004
【図３】
2011055878.tif 000005
【図４】
2011055878.tif 000006
【図５】
2011055878.tif 000007
【図６】
2011055878.tif 000008
【図７】
2011055878.tif 000009
【図８】
2011055878.tif 000010
【図９】
2011055878.tif 000011
【図１０】
2011055878.tif 000012
【図１１】
2011055878.tif 000013
【図１２】
2011055878.tif 000014